【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
ＷＬＡＮを介してＰＤＮ（Packet Data Network）コネクションを確立しているＵＥ（User Equipment）であって、
ＬＴＥインターフェース部と、制御部とを備え、
前記ＵＥは、前記ＰＤＮコネクションにＥ−ＵＴＲＡＮ（Evolved Universal Terrestrial Radio Access Network）を加える場合、
前記ＬＴＥインターフェース部は、
ＰＤＮ接続要求メッセージをＭＭＥ（Mobility Management Entity）に送信し、
前記ＰＤＮ接続要求メッセージは、ＰＣＯ（Protocol Configuration Option）を含み、
前記ＰＣＯは、ＮＢＩＦＯＭ（Network-based IP Flow Mobility）の使用を要求することを示す情報を含み、
デフォルトＥＰＳベアラコンテキストアクティブ化要求メッセージを前記ＭＭＥから受信し、
前記ＰＤＮコネクションのＮＢＩＦＯＭ  ｍｏｄｅがＵＥ−ｉｎｉｔｉａｔｅｄ  ＮＢＩＦＯＭ  ｍｏｄｅの場合、前記ＰＤＮ接続要求メッセージは、前記ＵＥによって選択されたデフォルトアクセスを示す第１の情報を含み、
前記デフォルトＥＰＳベアラコンテキストアクティブ化要求メッセージは、ＰＣＲＦ（Policy and Charging Rule Function）によって前記第１の情報に基づいて決定されたデフォルトアクセスを示す第２の情報を含み、
前記制御部は、
前記デフォルトＥＰＳベアラコンテキストアクティブ化要求メッセージの受信に基づいて、前記第２の情報が示すデフォルトアクセスを認識し、
どのルーティングフィルタにもマッチしないパケットを、前記第２の情報が示すデフォルトアクセスにルーティングする、
ことを特徴とするＵＥ。
【請求項２】
前記第１の情報及び前記第２の情報は、それぞれ、３ＧＰＰアクセス又はｎｏｎ―３ＧＰＰアクセスを示す、
ことを特徴とする請求項１に記載のＵＥ。
【請求項３】
前記第２の情報は、前記ＰＣＲＦによって前記第１の情報を確認することにより決定された情報である、
ことを特徴とする請求項１又は２に記載のＵＥ。
【請求項４】
前記ＵＥは、前記ＰＤＮコネクションを確立するために、
第２のＰＤＮ接続要求メッセージをＴＷＡＧ（Trusted WLAN Access Gateway）へ送信し、
ＰＤＮ接続受諾メッセージを前記ＴＷＡＧから受信する、
ＷＬＡＮインターフェース部を備え、
前記第２のＰＤＮ接続要求メッセージは、要求するＮＢＩＦＯＭ  ｍｏｄｅを示す第３の情報を含み、
前記ＰＤＮ接続受諾メッセージは、前記ＰＣＲＦ又はＰＧＷ（PDN Gateway）により選択されたＮＢＩＦＯＭ  ｍｏｄｅを示す第４の情報を含み、
前記制御部は、前記ＰＤＮ接続受諾メッセージの受信に基づいて、前記第４の情報が示すＮＢＩＦＯＭ  ｍｏｄｅを前記ＰＤＮコネクションのＮＢＩＦＯＭ  ｍｏｄｅと認識する、
ことを特徴とする請求項１から３のいずれか一項に記載のＵＥ。
【請求項５】
ＰＣＲＦ（Policy and Charging Rule Function）であって、
前記ＰＣＲＦは、
ＵＥ（User Equipment）がＷＬＡＮを介して確立しているＰＤＮ（Packet Data Network）コネクションのＮＢＩＦＯＭ（Network-based IP flow mobility）  ｍｏｄｅがＵＥ−ｉｎｉｔｉａｔｅｄ  ＮＢＩＦＯＭ  ｍｏｄｅであり、前記ＰＤＮコネクションにＥ−ＵＴＲＡＮ（Evolved Universal Terrestrial Radio Access Network）が加わる場合は、
前記ＵＥによって選択されたデフォルトアクセスを示す第１の情報を、ＰＧＷ（PDN Gateway）を介して前記ＵＥから受信するＩＰ移動通信ネットワークインターフェース部と、
前記第１の情報に基づいて、デフォルトアクセスを決定する制御部とを備え、
前記ＩＰ移動通信ネットワークインターフェース部は、前記制御部が決定した前記デフォルトアクセスを示す第２の情報を、前記ＰＧＷを介して前記ＵＥに送信する、
ことを特徴とするＰＣＲＦ。
【請求項６】
前記第１の情報及び前記第２の情報は、それぞれ、３ＧＰＰアクセス又はｎｏｎ―３ＧＰＰアクセスを示す、
ことを特徴とする請求項５に記載のＰＣＲＦ。
【請求項７】
前記制御部は、前記第１の情報を確認することにより、前記デフォルトアクセスを決定する、
ことを特徴とする請求項５又は６に記載のＰＣＲＦ。
【請求項８】
ＷＬＡＮを介してＰＤＮ（Packet Data Network）コネクションを確立しているＵＥ（User Equipment）によって実行される通信制御方法であって、
前記ＵＥは、
前記ＰＤＮコネクションにＥ−ＵＴＲＡＮ（Evolved Universal Terrestrial Radio Access Network）を加える場合は、
ＰＤＮ接続要求メッセージをＭＭＥ（Mobility Management Entity）に送信し、
前記ＰＤＮ接続要求メッセージは、ＰＣＯ（Protocol Configuration Option）を含み、
前記ＰＣＯは、ＮＢＩＦＯＭ（Network-based IP Flow Mobility）の使用を要求することを示す情報を含み、
デフォルトＥＰＳベアラコンテキストアクティブ化要求メッセージを前記ＭＭＥから受信し、
前記ＰＤＮコネクションのＮＢＩＦＯＭ（Network-based IP flow mobility）  ｍｏｄｅがＵＥ−ｉｎｉｔｉａｔｅｄ  ＮＢＩＦＯＭ  ｍｏｄｅの場合、前記ＰＤＮ接続要求メッセージは、前記ＵＥによって選択されたデフォルトアクセスを示す第１の情報を含み、
前記デフォルトＥＰＳベアラコンテキストアクティブ化要求メッセージは、ＰＣＲＦ（Policy and Charging Rule Function）によって前記第１の情報に基づいて決定されたデフォルトアクセスを示す第２の情報を含み、
前記デフォルトＥＰＳベアラコンテキストアクティブ化要求メッセージの受信に基づいて、前記第２の情報が示すデフォルトアクセスを認識し、
どのルーティングフィルタにもマッチしないパケットを前記第２の情報が示すデフォルトアクセスにルーティングする、
ことを特徴とする通信制御方法。
【請求項９】
前記第１の情報、及び、前記第２の情報は、それぞれ、３ＧＰＰアクセス、又は、ｎｏｎ―３ＧＰＰアクセスを示す、
ことを特徴とする請求項８に記載の通信制御方法。
【請求項１０】
前記第２の情報は、前記ＰＣＲＦによって前記第１の情報を確認することにより決定された情報である、
ことを特徴とする請求項８又は９に記載の通信制御方法。
【請求項１１】
前記ＵＥは、前記ＰＤＮコネクションを確立するために、
第２のＰＤＮ接続要求メッセージをＴＷＡＧ（Trusted WLAN Access Gateway）へ送信し、
ＰＤＮ接続受諾メッセージを前記ＴＷＡＧから受信し、
前記第２のＰＤＮ接続要求メッセージは、要求するＮＢＩＦＯＭ  ｍｏｄｅを示す第３の情報を含み、
前記ＰＤＮ接続受諾メッセージは、前記ＰＣＲＦ又はＰＧＷ（PDN Gateway）により選択されたＮＢＩＦＯＭ  ｍｏｄｅを示す第４の情報を含み、
前記ＰＤＮ接続受諾メッセージの受信に基づいて、前記第４の情報が示すＮＢＩＦＯＭ  ｍｏｄｅを前記ＰＤＮコネクションのＮＢＩＦＯＭ  ｍｏｄｅと認識する、
ことを特徴とする請求項８から１０のいずれか一項に記載の通信制御方法。
【請求項１２】
ＰＣＲＦ（Policy and Charging Rule Function）によって実行される通信制御方法であって、
前記ＰＣＲＦは、
ＵＥ（User Equipment）がＷＬＡＮを介して確立しているＰＤＮ（Packet Data Network）コネクションのＮＢＩＦＯＭ（Network-based IP flow mobility）  ｍｏｄｅがＵＥ−ｉｎｉｔｉａｔｅｄ  ＮＢＩＦＯＭ  ｍｏｄｅであり、前記ＰＤＮコネクションにＥ−ＵＴＲＡＮ（Evolved Universal Terrestrial Radio Access Network）が加わる場合は、
前記ＵＥによって選択されたデフォルトアクセスを示す第１の情報をＰＧＷ（PDN Gateway）を介して前記ＵＥから受信し、
前記第１の情報に基づいてデフォルトアクセスを決定し、
前記ＰＣＲＦは、前記ＰＣＲＦが決定した前記デフォルトアクセスを示す第２の情報を前記ＰＧＷを介して前記ＵＥに送信する、
ことを特徴とする通信制御方法。
【請求項１３】
前記第１の情報、及び、前記第２の情報は、それぞれ、３ＧＰＰアクセス、又は、ｎｏｎ―３ＧＰＰアクセスを示す、
ことを特徴とする請求項１２に記載の通信制御方法。
【請求項１４】
前記ＰＣＲＦは、前記第１の情報を確認することにより、前記デフォルトアクセスを決定する、
ことを特徴とする請求項１２又は１３に記載の通信制御方法。
【手続補正２】
【補正対象書類名】明細書
【補正対象項目名】発明の名称
【補正方法】変更
【補正の内容】
【発明の名称】ＵＥ、ＰＣＲＦ及び通信制御方法
【手続補正３】
【補正対象書類名】明細書
【補正対象項目名】０００１
【補正方法】変更
【補正の内容】
【０００１】
本発明は、ＵＥ等に関する。